(57)【特許請求の範囲】
【請求項１】
Ｕ字形プロフィルを有する非耐力壁構造のための、ほぼ鉛直方向に配置されたアップライトを接続するための接続エレメントであって、前記Ｕ字形プロフィルへの接続エレメントの固定のための少なくとも１つの固定セクション（２）と、前記アップライトを案内するための少なくとも１つの滑りガイド（３）とを備え、
前記少なくとも１つの滑りガイド（３）は、外側において前記アップライトの横断面を少なくとも部分的に包囲するように設計されかつ設けられていることにより、前記鉛直方向において滑り補償移動を許容し、
前記固定セクション（２）は、前記Ｕ字形プロフィルに接続するための少なくとも２つの固定耳（４）を有し、該少なくとも２つの固定耳（４）は前記滑りガイド（３）の両側において互いに離間して配置されていることを特徴とする、接続エレメント。
【請求項２】
前記滑りガイド（３）は、前記アップライトの幅にわたって前記アップライト（１３）に適用されることができるバック（５）と、該バック（５）からアップライト横断面を少なくとも部分的に包囲する案内エレメント（６）とを有することを特徴とする、請求項１記載の接続エレメント。
【請求項３】
前記バック（５）および／または前記案内エレメント（６）は、ほぼ平坦であることを特徴とする、請求項２記載の接続エレメント。
【請求項４】
前記バック（５）は、固定セクション（２）におけるタブとして設計されており、前記固定セクション（２）から前記案内エレメント（６）がトングとして突出していることを特徴とする、請求項３記載の接続エレメント。
【請求項５】
両側において前記アップライト横断面を一緒に包囲する少なくとも２つの案内エレメント（６）が設けられていることを特徴とする、請求項２から４までのいずれか１項記載の接続エレメント。
【請求項６】
前記固定セクション（２）は、ほぼ平坦であることを特徴とする、請求項１から５までのいずれか１項記載の接続エレメント。
【請求項７】
同じアップライト（１３）のジョイント案内のためのまたはすぐ隣接するアップライト（１３）を案内するための２つの滑りガイド（３）を備えることを特徴とする、請求項１から６までのいずれか１項記載の接続エレメント。
【請求項８】
滑りガイド（３）のために、前記接続エレメント（１，２１）は鏡像対称的であることを特徴とする、請求項７記載の接続エレメント。
【請求項９】
前記固定セクション（２）は鏡像対称的であり、前記固定セクション（２）の一方の半分の固定耳（４）は、前記固定セクション（２）の他方の鏡像の半分の固定耳（４）内へ進入することを特徴とする、請求項８記載の接続エレメント。
【請求項１０】
前記接続エレメント（１，２１）の異なる領域のうちの少なくとも１つは、隣接する領域に関して曲げられていることを特徴とする、請求項１から９までのいずれか１項記載の接続エレメント。
【請求項１１】
前記固定セクション（２）は、全体的に、前記滑りガイド（３）の間の横断面プロフィルがＵ字形のブリッジとして形成されることができることを特徴とする、請求項９または１０記載の接続エレメント。
【請求項１２】
前記接続エレメント（１，２１）は、ほぼ金属シートまたは別の適切な平坦な材料から形成されていることを特徴とする、請求項１０または１１記載の接続エレメント。
【請求項１３】
前記接続エレメント（１，２１）は、前記固定セクション（２）と前記滑りガイド（３）とがワンピースに製造されていることを特徴とする、請求項１１記載の接続エレメント。
【請求項１４】
少なくとも１つのさもなければ標準化された滑りガイド（３）が、異なるアップライト横断面厚さまたはサイズに適応させられることができ、それがより空間的に、より厚いものよりも薄い横断面を包囲することを特徴とする、請求項１から１３までのいずれか１項記載の接続エレメント。
【請求項１５】
前記固定セクション（２）は、前記Ｕ字形プロフィルに、そのＵ字形シャンクまたはＵ字形フランジ（１２）のうちの少なくとも一方において、固定するように設計されかつ設けられていることを特徴とする、請求項１から１４までのいずれか１項記載の接続エレメント。
【請求項１６】
前記少なくとも１つの滑りガイド（３）は、Ｃ字形プロフィルアップライト（１３）の滑り案内のために設計されかつ設けられていることを特徴とする、請求項１から１５までのいずれか１項記載の接続エレメント。
【請求項１７】
前記少なくとも１つの滑りガイド（３）または前記滑りガイド（３）のうちの少なくとも１つは、前記アップライト（１３）における滑り固定のためにセットアップされていることを特徴とする、請求項１から１６までのいずれか１項記載の接続エレメント。
【請求項１８】
前記滑りガイド（３）は、ガイドボルトを受け入れるための少なくとも１つのガイドスロットまたは細長い穴（１９）を有することを特徴とする、請求項１７記載の接続エレメント。
【請求項１９】
少なくとも１０ｍｍの滑り案内経路を提供することを特徴とする、請求項１から１８までのいずれか１項記載の接続エレメント。
【発明の詳細な説明】
【技術分野】
【０００１】
本発明は、ほぼ鉛直方向における滑り補償移動を許容するために、ほぼ水平のバー、特にＵ字形横断面を備える鋼プロフィル、好ましくは天井プロフィルと、負荷または無負荷の天井構造のバーまたは好ましい天井プロフィルへの固定のための少なくとも１つの固定セクションと、およびアップライトのための少なくとも１つの滑りガイドとを備える、非耐力壁構造のための、ほぼ鉛直方向に配置されたまたは配置可能なアップライトを接続するための接続エレメントに関する。
【０００２】
このような種類の接続エレメントは、原則として、米国特許第５０４０３４５号明細書から公知である。
【０００３】
この文献から公知の接続エレメントは、ほぼＵ字形であり、Ｕ字形プロフィル形状を備える接続エレメントが、Ｕ字形の天井プロフィルに関して直角に、したがって鉛直に配置されるように、そのＵ字形端部がＵ字形天井プロフィル内へＵ字形プロフィルクロスピースまで、すなわち天井に対して挿入されることができる。鉛直アップライトの上端部は、接続エレメントのＵ字形へ滑り形式で押し込まれることができる、またはＵ字形をアップライトの上端部へ滑り込ませることができる。接続エレメントのＵ字形プロフィルのＵ字形フランジの自由な最も外側の端部セクションを、天井プロフィルのＵ字形フランジへ螺合させることができ、これにより、天井プロフィルにおける水平方向変位に対して固定される。対照的に、接続エレメントのＵ字形フランジの下向きの幅は、アップライトの上端部のための鉛直方向滑り経路を形成しており、アップライトは、したがって、底部において接続エレメントから完全に自由になることなく天井プロフィルのＵ字形クロスピースから対応する距離だけ移動することができる。アップライトプロフィルの形状はめ合い滑りのために、接続エレメントのＵ字形フランジは、アップライトのＣプロフィルの自由な長手方向エッジにポジティブに係合することができるプリーツの形式におけるガイドパスを有する。形状はめ合いは、これにより、さらに鉛直方向移動を許容しながらアップライトの水平方向移動を防止する。Ｃ字形アップライトプロフィルは、Ｕ字形プロフィルを備える接続エレメントを部分的に包囲している。しかしながら、接続エレメントは天井プロフィルのＵ字形プロフィルに位置しかつアップライトの上端部も天井プロフィルのＵ字形内へ突出すべきであるので、これは、制限された空間的条件と、引用された文献に示されたことの実施を困難にする複雑に入り組んだガイドとを生みだし、その結果、極めて小さな製造公差が生じ、組立てが困難となる。
【０００４】
発明された接続エレメントは、特に、非耐力アップライト隔壁がボード材料、好ましくは石膏ボード、石膏繊維ボード、セメントパネル、木製複合ボードを用いて製造される乾式壁構造向けである。天井たわみの場合、接続エレメントは、アップライトの上端部と「Ｕ」字形天井プロフィルとの間の距離の鉛直方向移動および変更が、アップライトと天井プロフィルとの間の接続が完全に緩まり、アップライトが水平方向においてそれらの上端部ともはや固定されなくなり、その結果、壁自体の防止可能な不安定性を生じることなしに可能にされかつ許容されるように、天井プロフィルをアップライトプロフィルと接続するために滑り天井接続として使用される。天井プロフィルおよび／またはアップライトプロフィルは、特に火事または大きな熱、または地震もしくはその他の揺れなどの衝撃の場合、すなわち動的に、曲がることができる。このような場合、天井と壁との間の確実な接続は、人に対する損傷またはさらには怪我を回避するために、また火事の場合、火の広がりをできるだけ長く防止するために残るべきである。
【０００５】
本発明の目的は、特にエレガントかつ単純な形式で上記の考慮に基づきかつ前記理由から滑り天井接続が製造されることを許容する上述のタイプの接続エレメントを提供することである。
【０００６】
本発明は、少なくとも１つの滑りガイドが、外側においてアップライトの横断面を少なくとも部分的に包囲するように設計されかつ提供されることによってこの目的を達成する。
【０００７】
このように、本発明による接続エレメントは、アップライトがそれにおいて特に有利なかつ驚くべきほど単純な形式で案内されることを許容し、また、下方へ開放した天井プロフィル内へまたは別の水平バー内へ、ストッパに突き当たるまで突入することができかつ同時に発明された接続エレメントはアップライトの水平移動を防止することができる。その結果、それにもかかわらず製造しかつ組み立てることが単純な、特に確実なかつ安定した非耐力壁構造を生じる。前記アップライトはスタッドと呼ばれることもでき、前記水平のバーはホエーラと呼ばれてもよい。
【０００８】
特に、滑りガイドは、アップライト自体が妨げられることなく位置決めされることができるが、依然として確実に案内されることができるように外側からアップライトを掴む。
【０００９】
発明の別の発展形は、滑りガイドが、アップライトの幅にわたって好ましくはアップライトに適用することができるバックと、バックからアップライト横断面を少なくとも部分的に包囲する案内エレメントとを有することを想定している。その結果、特に有効な発明の解決手法が生じ、材料を節約することもできる。このために、発明の別の発展形は、好ましくは、バックおよび／または案内エレメントがほぼ平坦であることを想定している。実施の形態の好ましい形式において、バックは、そこから案内エレメントがトングとして突出している固定セクションにおけるタブとして設計することができる。
【００１０】
発明の別の発展形は、両側においてアップライト横断面を一緒に包囲する少なくとも２つの案内エレメントが設けられていることを想定している。これにより、滑りガイドは、あらゆる力吸収アームが比較的短く維持されることができるので特に確実かつ安定して形成されることができる。
【００１１】
発明の実施の形態の好ましい形式は、固定セクションがほぼ平坦であることを特徴とする。これにより、固定セクションは、少なくとも１つの固定フランジを有することができ、特に容易に天井プロフィルにおけるフランジに固定することができる。
【００１２】
特に確実な、かつまたフレキシブルな固定のために、固定フランジは、互いに平行にまたは所定の角度で整列させられた、１つの平面にまたは異なる平面にも配置することができる少なくとも２つの固定耳を有することができる。特に、２つの固定耳は、シャンクまたはシャンクが固定される天井プロフィルのフランジの距離において互いに平行な平面に配置されている。
【００１３】
セットされたタスクに対する別の、独立したかつまたそれ自体で発明的な解決手法は、同じアップライトのジョイント案内（「１つのコネクタ、バイラテラル」）または互いにすぐ隣接した案内アップライト（「ダブルコネクタ、ユニ−またはバイラテラル」）のために提供された２つの滑りガイドによって特徴づけられる。これにより、アップライトをより確実にかつ／より空間的に包囲するまたはダブルアップライトを掴みかつ固定することができるダブル滑りガイドを提供することができる。
【００１４】
好ましくは、２つの滑りガイドまたは滑りガイド領域を有する発明された接続エレメントは、その滑りガイドのために鏡像対称的に設計することができる。
【００１５】
好ましい解決手法において、これは、材料も節約する特に洗練された形式で達成されることができ、かつ極めて単純に正確にはめ合う形式でセットアップされることができ、固定セクションが鏡像対称的でありかつ固定セクションの一方の半分の固定耳が固定セクションの他方の鏡像の半分の固定耳へ移行していることによって達成することができる。製造中、例えば、互いに接続された固定耳を残す少なくとも１つの開口を設けることができる。
【００１６】
製造観点から、所要の空間的形状の製造が、特に案内されるプロフィル形状を考慮して、単純なツールを用いてかつ多数で、ただし同時にワンピースでかつ安定して、迅速かつ費用対効果高く製造することができるように、接続エレメントの様々な領域のうちの少なくとも１つが、隣接する領域に関して曲げられていることが好ましくは想定されていることができる。
【００１７】
本発明による接続エレメントの滑りガイドのダブル（バイラテラル）の実施の形態において、固定セクションは、滑りガイドの間のプロフィルにおいて好ましくはＵ字形のブリッジとして全体的に安定して形成されていることができる。
【００１８】
本発明によれば、接続エレメントをほぼ金属シートまたはその他の適切な平坦な材料から製造することが単純にかつ費用対効果高く想定されていることができ、好ましくは接続エレメントのために金属シートまたは適切な平坦な材料からカットアウトをパンチアウトする。
【００１９】
全体的に、少なくとも１つのさもなければ標準化された滑りガイドが、異なるアップライト横断面厚さまたはサイズに適応させられることができ、それがより空間的に、より厚いものよりも薄い横断面を包囲することが有利には想定されていることができる。
【００２０】
発明された接続エレメントの実施の形態の好ましい形式は、固定セクションが、好ましくはＵ字形シャンクまたはＵ字形フランジのうちの少なくとも一方において、好ましくはそのプロフィル内側においてＵ字形プロフィルバーに固定するために設計されかつ設けられておりかつ／または少なくとも１つの滑りガイドがＣ字形プロフィルアップライトの滑り案内のために設計されかつ想定されていることを特徴とする。後者のケースでは、案内エレメントは、Ｃ字形プロフィルの内部へ突入し、形状はめ合い形式でＣ形状の端部を掴むことができる。これにより、アップライトは、滑りガイドにおけるレールにおけるように特に確実に案内される。
【００２１】
発明の別の発展形は、滑り固定のための少なくとも１つの滑りガイドまたは滑りガイドセットアップのうちの少なくとも１つは滑りガイドのグリップを付加的に固定するためにアップライトに配置されていることを特徴とする。好ましくは固定エレメントとして設計されたガイドボルトをテークアップするために少なくとも１つのガイドスロットまたは細長い穴を滑りガイドが有することが好ましいことがある。
【００２２】
セットタスクを解決するために、発明された接続エレメントは、少なくとも１０ｍｍ、好ましくは１０ｍｍ〜１００ｍｍの滑りガイド経路を提供することができる。このようなガイド経路は、説明された問題のほとんどのために十分でありかつ適切であるべきである。これは、容易に製造されることもでき、接続エレメントは、問題なく組み立てられることができる。
【００２３】
実施の形態の例から別の発明の特徴が導き出されることができるが、その実施の形態の例は例としてのみ考慮されるべきであり、発明の主体を限定すべきではないまたはその保護範囲は図面に示されている。
【図面の簡単な説明】
【００２４】
【図１】発明された接続エレメントの実施の形態の第１の例のためのカットアウトを示す図である。
【図２】図１における接続エレメントの曲げられた状態の斜視図である。
【図３】横断面で示された天井プロフィルを備えるアップライトの滑り接続のためのアップライトに適用された図１および図２の２つの接続エレメントを示す図である。
【図４】アップライトのバイラテラルな滑り案内のための接続エレメントの実施の形態の第２の例のカットアウトを示す図である。
【図５】図１〜図３による適用された接続エレメントを備えるアップライトの端面を上方から見た図である。
【図６】図４におけるカットアウトと類似の、ただし、互いに隣接した２つのアップライトのバイラテラルな滑り案内のための接続エレメントの実施の形態の第３の例のためのカットアウトを示す図である。
【図７】図３におけるのと同様の、ただし、今度は、互いに対して後ろ向きの２つのアップライトの滑り案内の実施の形態の第４の例としての２つの接続エレメントの斜視図である。
【図８】互いに対して後ろ向きの２つのアップライトの滑り案内のための斜視図における接続エレメントの第５の実施の形態を示す図である。
【図９】天井プロフィルへ挿入された図７による実施の形態の斜視図である。
【００２５】
図１は、発明された接続エレメント１の実施の形態の第１の例のためのカットアウトを示している。このカットアウトは、例えば金属シートから打ち抜かれることができる。
【００２６】
発明された接続エレメント１は、ほぼ水平のバー、特に天井プロフィル１０への固定のための固定部分または固定セクション２を有する。接続エレメント１は、少なくとも１つの滑りガイド３も有する。滑りガイド３は、図１にはまだ極めて明確には見ることができないが、最初は、カットアウトの別のセクションとしてのみ存在している。
【００２７】
固定部分２は、２つの固定耳４を有する。
【００２８】
滑りガイド３は、バック５と、バック５から突出した２つの案内エレメント６とから形成されている。ここでは、案内エレメントはトングとして設計されている。
【００２９】
この時点で、接続エレメント１は必ずしも金属シートからのカットアウトから形成されなければならないわけではなく、三次元ボディとして適切にすでに提供されることができることが言及されるべきである。しかしながら、金属シートからの製造は、極めて費用対効果高く、効率的にかつ同時にサイズの観点から正確に可能である。
【００３０】
図２は、その機能形式において図１における接続エレメントの斜視図を示している。その他の図面におけるように、同じ構成部材には、図１におけるのと同じ参照符号が付されている。
【００３１】
図２において、バック５および案内エレメント６によって形成された滑り軸受３は、固定耳４を備える固定部分２ができるように、機能的観点で見られることができる。
【００３２】
滑りガイド３を形成するために、トング形の案内エレメント６は、矢印７の方向へバック５から約９０度だけ曲げられている。包含されるアップライトの空間的条件に応じて、案内エレメント６の少なくとも１つの端部セクション８は、それが破線によって示された位置８’に到達するまで矢印９の方向へさらに曲げられていることができる。
【００３３】
図３は、機能において図２による２つの接続エレメント１を示している。
【００３４】
図３には、Ｕ字形プロフィルを備える天井プロフィル１０の横断面が示されている。天井プロフィル１０は、クロスピース１１およびシャンクまたはフランジ１２を有する。この天井プロフィル１０は、より詳細に示されていない天井においてほぼ水平方向に延びている。天井プロフィル１０の代わりに、これは、よりアップライトまたは壁フレームの中央において例えば天井から所定の距離に延びるあらゆるその他のほぼ水平のバーであることもできる。
【００３５】
ほぼ鉛直方向に整列させられたアップライト１３の上端部は、下方から、図示された天井プロフィル１０へ導入される。
【００３６】
図３において、図２における形式における本発明による接続エレメント１は、アップライト１３と天井プロフィル１０のフランジ１２との間においてアップライト１３の右側および左側に挿入される。
【００３７】
接続エレメント１の固定耳４は、それぞれ、図示されておらずかつ破線によってのみ示されている固定エレメント１４によって天井プロフィル１０のフランジ１２に取り付けられている。固定エレメント１４は、アップライト１３を妨害しないように図平面の前方および／または背後に位置決めされることができる。単に明瞭にするために、固定耳４における固定エレメント１４のために、穴１５が図２に示されている。
【００３８】
接続エレメント１のバック５から曲げられた案内エレメント６はそれぞれ、左側および右側からアップライト１３の周囲を部分的に掴み、これにより、２つの滑りガイド３または１つの大きなジョイント滑りガイドを形成している。アップライト１３は、これらの滑りガイド３において滑り形式で案内されており、これにより、アップライト１３は、天井プロフィル１０に対して、ほぼ鉛直方向の二重矢印１６の方向に移動することができ、かつ天井プロフィル１０は、二重矢印１８によって示されているように、アップライト１３の自由上端面１７に対して移動することができる。好ましくは、約１０ｍｍ〜１００ｍｍの移動スペースまたは滑り経路を提供することができ、これは、最終的に、接続エレメント１の寸法と、案内エレメント６の配置および位置とによって予め決定されかつ設定されることができ、アップライト１３は、上端面１７が滑りガイド３から完全に出ることなく、滑りガイド３において所定の移動経路にわたって案内される。
【００３９】
図２にも示されているように、細長い穴をバックおよび／または案内エレメント６に設けることができ、各細長い穴に、アップライト１３に取り付けられるガイドボルトが係合することができ、これにより、ここで、滑り経路が制限され、滑りガイドは、付加的に、アップライト１３に固定されるまたは逆にアップライト１３が滑りガイド３に固定される。
【００４０】
固定エレメントによってかつ滑りガイド３の形状はめ合いのために、アップライト１３の上端部が、天井プロフィル１０に沿って水平方向に移動することができないことが保証される。全体的に、アップライト１３は、したがって、（鉛直方向において）天井プロフィル１０に滑り形式で固定されている。
【００４１】
図４に関連してより詳細に説明するように、２つの接続エレメント１の固定部分２、すなわち固定耳４も、（図４における実施の形態の例に従って）本発明による接続エレメント１を形成するように接続されることができる。このような接続部２０（図４参照）は、天井プロフィル１０のクロスピース１１に対して平行に、固定耳４をブリッジ状形式で互いに接続することができる。これにより、両側においてアップライト１３のための滑りガイド３を備える接続エレメント２１が製造される。
【００４２】
図４は、接続エレメント２１の実施の形態の既に前に示された第２の例のためのカットアウトを示している。これは、ほぼ、２つの接続エレメント１を含み、２つの接続エレメント１は、それらの固定耳４を介して、中央開口２２を残している接続部２０によってブリッジ状形式において互いに接続されている。
【００４３】
図４において、破線は、曲げ線を示しており、この曲げ線において、曲げが生じることができるが、必ずしも生じなくてもよい。
【００４４】
曲げ線２３に沿って、２つの接続エレメント１は、図平面において曲げられることができ、これにより、プロフィルにおける接続部２０によって、これらはＵ字形を形成し、Ｕ字形は、天井プロフィル１０のＵ形状内へ、すなわちそのクロスピース１１およびフランジ１２に対して平行に導入されることができる。
【００４５】
案内エレメント６は、曲げ線２４に沿って曲げられることができ、これにより、Ｕ字形の下で、案内エレメント６は、別の接続エレメント１の案内エレメント６へ内方へ突入する。概念に応じて、これらにより、これらは、アップライト１３のための２つの滑りガイド３または１つの大きなジョイント滑りガイドを形成する。あらゆるケースにおいて、アップライトプロフィルは、ほとんど完全に、２つのバックと、４つの案内エレメント６の合計とによって包囲されることができる。少なくとも接続エレメント１の１つの側において、案内エレメント６の端部セクション８は、再び、曲げ線２５に沿って曲げられることができ、これにより、１つの側において、これらは、アップライトプロフィルの内部に係合することができる。
【００４６】
図５は、再び、別の図において接続エレメント１の機能を示している。
【００４７】
破線によってブロークンオフされた形式で示されているのは、そのフランジ１２に沿った縦断面のタイプにおける天井プロフィル１０の１つのセクションのコースである。
【００４８】
上から見た図に示されているのは、下方から天井プロフィル１０に導入されたアップライト１３の端面１７でもある。この図において、アップライトが、クロスピースバック２６、シャンク２７および端部フランジ２８を備えるＣ字形プロフィルを有することが見られることができる。
【００４９】
さらに、図５において、２つの接続エレメント１を見ることができる。２つの接続エレメント１も、図４における実施の形態の形式に従って、接続部２０を介して互いに接続されることができ、これにより、破線によって示されているように、両側においてアップライト１３のための支持部および案内部を備える接続エレメント２１を形成する。固定耳４は、固定エレメント１４を介して天井プロフィル１０のフランジ１２に接続されており、図５において、これらの固定エレメント１４が、アップライト１３の領域のはるか外側に配置されていることを見ることができる。
【００５０】
図５において、案内エレメント６の形状が、例えば、上方から見た図において見られることができる。案内エレメント６は、アップライト１３のＣ字形プロフィルのクロスピース２６のバックと平坦接触しているのに対し、アップライト１３の反対側において、それらは、曲げられた端部セクション８を有する。曲げられた端部セクション８は、アップライト１３のＣ字形プロフィルの内部へ突出しており、端部フランジ２８を包囲している。
【００５１】
この時点で、発明された接続エレメントを、２つの隣接するアップライト１３またはいわゆるダブルアップライトを同時に案内することができるように設計および寸法決めすることもできることが付け加えられるべきである。これは、図６〜図９を用いて以下でより詳細に説明される。
【００５２】
図６は、図４におけるカットアウトと類似の、ただし、互いに隣接した２つのアップライト１３のバイラテラルな滑り案内のための２つの接続エレメント１を含む接続エレメント２１の実施の形態の第３の例のための、カットアウトを示している。このために、接続エレメント１は、２つのアップライト１３を一緒に掴むために、より広いバック５を有しさえすればよい。図６に示されたエレメントは、図４におけるのと同じ参照符号を有する。
【００５３】
図７は、図３におけるのと同様の、ただし、今度は、互いに対してバック２６対バック２６の２つのアップライト１３の滑り案内の実施の形態の第４の例としての、２つの接続エレメント１の斜視図を示している。再び、同じエレメントは、前の図面におけるのと同じ参照符号を有する。
【００５４】
接続エレメント２１の実施の形態は、それらの両側において、すなわちバイラテラル式に、２つのアップライト１３を案内することができ、接続エレメント１の実施の形態は、アップライト１３の異なる側においてシングルサイドの２つのアップライト１３を案内している。穴１５を備える固定耳４は、天井プロフィル１０のフランジ１２に固定されることができる。
【００５５】
図８は、互いに対してバック２６対バック２６の２つのアップライト１３の滑り案内のための斜視図における接続エレメント２１の第５の実施の形態を示している。図は、図７におけるのと同じであるが、ここでは、接続エレメント２１は、結果として生じる接続エレメント２１がバイラテラル式にそれらの両側において２つのアップライト１３を案内することを可能にするためにブリッジのように２つの接続エレメント１を互いに接続するための接続部２０を備えて示されている。
【００５６】
図９は、天井プロフィル１０へ挿入された図７による実施の形態の斜視図を示している。図９を見ると、ピクチャの多安定知覚は、ピクチャが下方から天井プロフィル１０の内側への図を提供することを知ることによって、回避されなければならない。図９は、しかしながら、フランジ１２の内側において天井プロフィル１０のフランジ１２に固定された固定耳４を備えるその機能において、図７による実施の形態の好印象を提供する。
【００５７】
基本的に（およびそれに限定されることなく）発明された接続エレメント１，２１の４つの態様が、好ましくは、提供されることができ、すなわち、好ましくは複数の対で使用されるシングルアップライト１３の一方の側での案内のための図２における接続エレメント１による「シングルコネクタユニラテラル」と、ダブルアップライト１３の同時であるが、それぞれ一方の側での案内のために提供されかつまた好ましくは図７および図９による複数の対で使用される「ダブルコネクタユニラテラル」と、シングルアップライト１３の２つの側での案内のための図４における接続エレメント２１による「シングルコネクタバイラテラル」と、図６および図８によるダブルアップライト１３の同時バイラテラル案内のための、より大きな態様の「ダブルコネクタバイラテラル」が提供されることができる。
【符号の説明】
【００５８】
１  接続エレメント
２  固定セクション
３  滑りガイド
４  固定耳
５  バック
６  案内エレメント
７  曲げ矢印
８  端部セクション
９  曲げ矢印
１０  天井プロフィル
１１  クロスピース
１２  フランジ
１３  アップライト
１４  固定エレメント
１５  穴
１６  二重矢印
１７  端面
１８  二重矢印
１９  細長い穴
２０  接続部
２１  接続エレメント
２２  中央開口
２３  曲げ線
２４  曲げ線
２５  曲げ線
２６  アップライトバック
２７  シャンク
２８  端部フランジ
【図１】
0006968205.tif 000002
【図２】
0006968205.tif 000003
【図３】
0006968205.tif 000004
【図４】
0006968205.tif 000005
【図５】
0006968205.tif 000006
【図６】
0006968205.tif 000007
【図７】
0006968205.tif 000008
【図８】
0006968205.tif 000009
【図９】
0006968205.tif 000010